(57)【要約】【課題】軒樋支持具の製作のコストや時間を低減し、また、軒樋の取付が容易となる軒樋支持具を提供する。【解決手段】樋支持具本体１０は線状材で形成され、前耳保持部１２、後耳保持部１３の少なくとも一方は、軒樋５の耳部５ｂを収容する耳部収容空間１４と、耳部収容空間１４の下方において前後方向内方に向くよう折曲形成されたバネ性を有する保持片部１５とを有する。【選択図】図１
2019210774.tif 000002
【特許請求の範囲】
【請求項１】
前部に前耳保持部を有し、後部に後耳保持部を有した樋支持具本体と、該樋支持具本体を前後方向の所望の位置で固定する固定部と、該固定部を介して前記樋支持具本体を支持する取付足部とを備えた軒樋支持具において、
前記樋支持具本体は線状材で形成され、
前記前耳保持部、前記後耳保持部の少なくとも一方は、軒樋の耳部を収容する耳部収容空間と、該耳部収容空間の下方において前後方向内方に向くよう折曲形成されたバネ性を有する保持片部とを有することを特徴とする軒樋支持具。
【請求項２】
請求項１において、
前記樋支持具本体と前記固定部のそれぞれには、前後方向の段階的な位置で相互に係合、固定する係合部を備えていることを特徴とする軒樋支持具。
【発明の詳細な説明】
【技術分野】
【０００１】
本発明は、固定部を介して樋支持具本体を支持する取付足部を備えた軒樋支持具に関する。
【背景技術】
【０００２】
従来、軒樋支持具は、ステンレス等の金属板をプレス加工することや、樹脂材料を成形することによって製作されている（特許文献１参照）。
【先行技術文献】
【特許文献】
【０００３】
【特許文献１】特開２０１７−１３７６３６号公報
【発明の概要】
【発明が解決しようとする課題】
【０００４】
しかしながら、従来の軒樋支持具は、製作するのに多くの材料が必要であり、また、軒樋支持具の成形に時間や労力がかかってしまうものであった。
【０００５】
本発明は、このような事情を鑑みて提案されたものであり、その目的は、軒樋支持具の製作のコストや時間を低減し、また、軒樋の取付が容易となる軒樋支持具を提供することにある。
【課題を解決するための手段】
【０００６】
上記目的を達成するために、本発明に係る軒樋支持具は、前部に前耳保持部を有し、後部に後耳保持部を有した樋支持具本体と、該樋支持具本体を前後方向の所望の位置で固定する固定部と、該固定部を介して前記樋支持具本体を支持する取付足部とを備えた軒樋支持具において、前記樋支持具本体は線状材で形成され、前記前耳保持部、前記後耳保持部の少なくとも一方は、軒樋の耳部を収容する耳部収容空間と、該耳部収容空間の下方において前後方向内方に向くよう折曲形成されたバネ性を有する保持片部とを有することを特徴とする。
【０００７】
また、前記樋支持具本体と前記固定部のそれぞれには、前後方向の段階的な位置で相互に係合、固定する係合部を備えてもよい。
【発明の効果】
【０００８】
本発明に係る軒樋支持具は、上述のような構成となっているので、樋支持具本体は線状材で形成されるので材料が低減され、また線状材の加工は容易なので、低コスト化が図られる。保持片部は、線状材を折曲形成しているのでバネ性を有しており、バネ性を有する保持片部により、軒樋の取り付けも容易となっている。また、保持片部は、線状材で樋支持具本体と一体に形成されているので、別部材を必要とせず、低コスト化が図られる。
【図面の簡単な説明】
【０００９】
【図１】本発明の一実施形態に係る軒樋支持具の分解斜視図である。
【図２】（ａ）は、軒樋支持具の側面図、（ｂ）〜（ｅ）は、軒樋の耳部を樋支持具本体の後耳保持部に取り付ける手順の説明を示した要部拡大側面図である。
【図３】（ａ）は、保持片部の変形例を示した要部拡大側面図、（ｂ）、（ｃ）は、それぞれ固定部の変形例を示した斜視図、（ｄ）は、樋支持具本体の保持片部の変形例を示す要部拡大側面図である。
【図４】（ａ）〜（ｄ）は、他の実施形態を示した模式断面図である。
【図５】（ａ）は、他の実施形態を示した模式断面図、（ｂ）は、（ａ）のＸ−Ｘ線矢視の模式断面図である。
【図６】（ａ）、（ｂ）は、他の実施形態を示した側面図、（ｃ）は、Ｙ−Ｙ線矢視の模式断面図である。
【発明を実施するための形態】
【００１０】
以下に、本発明の実施の形態に係る軒樋支持具について、添付図面にもとづいて説明する。まず、基本構成について説明する。
【００１１】
軒樋支持具１は、前部に前耳保持部１２を有し、後部に後耳保持部１３を有した樋支持具本体１０と、樋支持具本体１０を前後方向の所望の位置で固定する固定部２０と、固定部２０を介して樋支持具本体１０を支持する取付足部３０とを備えている。樋支持具本体１０は線状材で形成され、前耳保持部１２、後耳保持部１３の少なくとも一方は、軒樋５の耳部５ａ，５ｂを収容する耳部収容空間１４と、耳部収容空間１４の下方において前後方向内方に向くよう折曲形成されたバネ性を有する保持片部１５とを有する。
【００１２】
ついで、図１に示した一実施形態に係る軒樋支持具１について詳述する。本実施形態の軒樋支持具１は、樋支持具本体１０、固定部２０、取付足部３０により構成されている。
【００１３】
樋支持具本体１０は、線状部１１，１１が空間Ｓを空けて略平行となるように、断面形状が略円形の一本の線状材が折曲されて形成されている。なお、線状材の断面形状は略円形のものに限定されることはなく、線状材の材料は、金属材料や樹脂材料等が適宜選択される。前耳保持部１２は、樋支持具本体１０の前部先端を上方向に向けて線状部１１，１１から略直角に折曲されて形成された係止部１２ａを有している。樋支持具本体１０の後部は、線状部１１から上方に折曲されて内方側片部１３ａが形成され、内方側片部１３ａから後方に折曲されて上辺部１３ｂが形成され、上辺部１３ｂから下方に折曲されて外方側片部１３ｃが形成された後耳保持部１３を有している。後耳保持部１３は、樋支持具本体１０の後部を下方が開放された逆Ｕ字状に折曲形成されることで耳部５ｂを収容する耳部収容空間１４を有しており、さらに耳部収容空間１４の下方において、前後方向内方を向くよう折曲形成されたバネ性を有する保持片部１５を有している。
【００１４】
本実施形態の保持片部１５は、図２（ａ）に示すように前方に向けて上り傾斜した形状とされているが、これに限定されることはなく、例えば、後耳保持部１３の上辺部１３ｂと略平行となるように形成されてもよい。この樋支持具本体１０に用いられる線状材の径を大きくすることによって、樋支持具本体１０の強度を高めることができ、線状材の径を小さくすることによって、樋支持具本体１０の軽量化を図るだけでなく、保持片部１５のバネ性を高めることができる。また、保持片部１５が折曲形成されることで、保持片部１５の先端と内方側片部１３ａとの間に設けられる間隙ｗは、耳部５ｂが脱落しない大きさとなっている。また、本実施形態の前耳保持部１２の係止部１２ａは、上方向に向けて線状部１１，１１から略直角に折曲されて形成されているが、これに限定されることはなく、前方に向けて上り傾斜した形状で折曲されて形成されてもよい。
【００１５】
固定部２０は、下板部２１と上板部２２とを有して構成されている。下板部２１は、板材で形成されており、基板部２１ａに樋支持具本体１０の線状部１１を遊嵌する溝部２１ｂ，２１ｂと、取付足部３０の連結片部３３が嵌合される凹溝部２１ｃが下方に折曲形成され、凹溝部２１ｃには、ボルト６が挿通する挿通孔（不図示）が開設されている。上板部２２は板材で形成されており、基板部２２ａと、基板部２２ａの略中心部にボルト６が挿通される挿通孔２２ｂが開設され、基板部２２ａの側面に下方に突出して折曲形成された側壁部２２ｃ，２２ｃが形成されている。側壁部２２ｃ，２２ｃ間の内寸法は、下板部２１を覆うように、下板部２１の長手寸法より若干大とされている。下板部２１が上板部２２の側壁部２２ｃ，２２ｃに挟まれる構成であるため、中央で一組のボルト６、ナット８で上板部２２を固定するものであっても、上板部２２の固定後の回転ずれを防止することができる。
【００１６】
樋支持具本体１０の線状部１１，１１が、固定部２０の溝部２１ｂに遊嵌されているので、樋支持具本体１０を前後方向に調整することによって、軒先４等からの軒樋５の出具合を自在に調整できる。なお、下板部２１の溝部２１ｂ，２１ｂは、樋支持具本体１０の線状部１１を圧嵌するものであってもよい。そのようにすれば、樋支持具本体１０を前後方向に調整した後の樋支持具本体１０の摺動を抑制することができる。
【００１７】
取付足部３０は、軒先４等に固定される取付基板３１と、その上端中央から前方に向けて延びた足杆３２とを備えている。この足杆３２の前方部には段落ちした連結片部３３が形成され、この連結片部３３にはボルト６が挿通する挿通孔３４が開設されている。下板部２１は、凹溝部２１ｃの挿通孔と、連結片部３３の挿通孔３４とを合わせて、あらかじめ固定（仮固定）しておいてもよい。
【００１８】
この軒樋支持具１は、図１に示すように、線状部１１を溝部２１ｂに嵌合した状態で固定部２０の上板部２２と下板部２１、取付足部３０の各挿通孔にボルト６を挿通し、下板部２１の下側に突出したボルト６にワッシャ７を挿通したうえで、ナット８で固定される。ボルト６、ナット８の固定により線状部１１，１１は、上下より溝部２１ｂ、２１ｂと上板部２２間で押圧され、前後方向に移動しないように固定される。なお、ボルト６、ナット８は、製造現場等で緩く締結して、樋支持具本体１０と固定部２０とを仮固定状態にしておき、施工現場にて樋支持具本体１０の前後方向の位置を決定したのちに固定すればよい。
【００１９】
樋支持具本体１０と取付足部３０とは、固定部２０を介して固定されているが、互いに部材同士が接触して干渉しないように構成されている。樋支持具本体１０の線状部１１，１１と、取付足部３０の連結片部３３とは、線状部１１，１１間の空間Ｓが連結片部３３の幅より大になるように構成されている。また、樋支持具本体１０の後耳保持部１３の上辺部１３ｂが、取付足部３０の足杆３２より下方に位置するように構成されている。そのようにすれば、軒樋５を取り付ける際に、耳部５ｂが足杆３２に接触することを防止することができる。
【００２０】
軒樋支持具１を軒先４等に固定した後、軒樋５を軒樋支持具１に取り付ける。軒樋５の耳部５ａを前耳保持部１２の係止部１２ａに係止させた後、図２（ｂ）に示すように、軒樋５の耳部５ｂを樋支持具本体１０の後耳保持部１３の下方から押し付けるように挿入する。これにより、図２（ｃ）に示すように、保持片部１５は、耳部５ｂにひっかかり、その根元から後方に弾性変形する。その後、図２（ｄ）に示すように、耳部５ｂが耳部収容空間１４に収容されると、保持片部１５は、耳部５ｂとの引っ掛かりが外れ、バネ性があるので図２（ｂ）の初期状態に復元しようとするので、図２（ｅ）に示すように保持片部１５は復帰状態となり、耳部５ｂが脱落することはない。また、保持片部１５は前方に向けて上り傾斜した形状で折曲形成されているので、挿入時には軒樋５の耳部５ｂが挿入されやすくなっている。
【００２１】
保持片部１５の前後方向の長さは、図２（ｄ）に示すように、耳部５ｂの上面が樋支持具本体１０の上辺部１３ｂに接触するまで、もしくは接触した際に、耳部５ｂとのひっかかりが外れ、また、耳部５ｂが脱落しない程度の間隙ｗが形成される寸法に形成されている。
【００２２】
本実施形態では、図２（ｂ）〜（ｄ）のように保持片部１５が弾性変形して耳部５ｂが後耳保持部１３に保持されるが、これに限定されることはない。例えば保持片部１５は、後耳保持部１３の外方側片部１３ｃとともに、バネ性を有したものとしてもよい。このようにすれば、図３（ａ）に示すように、保持片部１５は、耳部５ｂにひっかかり、外方側片部１３ｃとともに、後方に弾性変形する。また、バネ性を高めるために線状材の径を小さくしてもよい。
【００２３】
図３（ｂ），（ｃ）はそれぞれ、固定部２０の変形例を示した図である。
図３（ｂ）の実施例では、下板部２１と連結片部３３とがリベット６１で固定され、下板部２１と上板部２２のそれぞれの左右両側に開設された挿通孔２１ｄ，２１ｄ、挿通孔２２ｂ，２２ｂにボルト６，６を通してナット８、８で固定している。
【００２４】
図３（ｃ）の実施例では、固定部２０は下板部２１と上板部２２とを、左右いずれかに回転軸２７を介して連結されて構成されている。下板部２１と連結片部３３とがリベット６１で固定され、上板部２２が回転軸２７で下板部２１に連結されており、上板部２２を回動させて、上板部２２の側面に設けられた係止爪２２ｃａで下板部２１の下面に係止させている。
【００２５】
図３（ｄ）は、樋支持具本体１０の保持片部１５の変形例を示している。保持片部１５は、線状材を前後方向に一周以上回転させて、保持片部１５の先端が前後方向内方を向くように折曲形成されている。これにより、保持片部１５のバネ性を調整することができる。
【００２６】
他の実施形態について説明する。なお、図１の実施形態と共通する部分は、説明を省略する。
【００２７】
図４（ａ）の実施形態において、樋支持具本体１０に係合部１６、固定部２０の下板部２１に係合部２６が形成されている。樋支持具本体１０の係合部１６は、線状部１１に前後方向に凹凸が同ピッチで連続して形成された連続凹凸形状であり、下板部２１の係合部２６は、溝部２１ｂ，２１ｂの前後方向中央部に突部が起立して設けられている。係合部１６の連続凹凸形状は、線状材をプレス加工等することによって成形することが可能である。係合部２６の突部が、係合部１６の連続凹凸形状の凹部に係合されることによって、軒樋５の軒先４等からの出具合を段階的に調整し、出具合の調整をした後の樋支持具本体１０の摺動を規制することが可能となっている。なお、固定部２０の上板部２２は、図１の実施例と同様のものが使用可能とされている。
【００２８】
図４（ｂ）の実施形態において、樋支持具本体１０の係合部１６は、線状部１１に下方に突出して折曲成形された複数の突部であり、固定部２０の係合部２６は、下板部２１の溝部２１ｂ，２１ｂに複数開設された貫通孔である。樋支持具本体１０の係合部１６の突部同士のピッチと、固定部２０の係合部２６の貫通孔同士のピッチは、等しくなるように形成されているので、樋支持具本体１０の係合部１６の複数の突部が、固定部２０の係合部２６の複数の貫通孔に係合させることができるので、軒樋５の軒先４等からの出具合を段階的に調整し、出具合の調整をした後の樋支持具本体１０の摺動を規制することが可能となっている。また、樋支持具本体１０の係合部１６と固定部２０の係合部２６は、係合部同士を係合させる際、係合部同士以外が接触して干渉しないような寸法関係を有している。なお、固定部２０の上板部２２は、図１の実施例と同様のものが使用可能とされている。
【００２９】
図４（ｂ）の変形例である図４（ｃ）の実施形態について説明する。
図４（ｃ）に示すように、図４（ｂ）の実施例との変更点は、固定部２０の下板部２１と上板部２２との前後方向の寸法が小さくなっており、係合部２６の貫通孔の数が一つとなっている。下板部２１の幅寸法は、樋支持具本体１０の係合部１６と係合する際に、係合部１６の係合する突部以外の突部に干渉しない程度の寸法となっている。
【００３０】
図４（ｄ）の実施形態において、樋支持具本体１０の係合部１６は、線状部１１の連続凹凸形状が、側面視において上下に波打つように湾曲されて形成されている。固定部２０の下板部２１には、溝部２１ｂ，２１ｂに複数開設された貫通孔である係合部２６ａが形成され、上板部２２には、基板部２２ａに複数開設された貫通孔である係合部２６ｂが形成されている。樋支持具本体１０の係合部１６に下板部２１と上板部２２とが係合するために、図４（ｄ）に示すように、樋支持具本体１０の係合部１６の連続凹凸形状に合わせて、互い違いになるように下板部２１の係合部２６ａと上板部２２の係合部２６ｂとが開設されて形成されている。これにより、樋支持具本体１０の係合部１６の下方に湾曲されて形成されている複数の突出部１６ａが、下板部２１の複数の係合部２６ａに係合され、樋支持具本体１０の係合部１６の上方に湾曲されて形成されている複数の突出部１６ｂが、上板部２２の複数の係合部２６ｂに係合される。
【００３１】
図５（ａ），（ｂ）の実施形態について説明する。
図５（ａ），（ｂ）の実施形態において、下板部２１の基板部２１ａに、上方向に突出し、樋支持具本体１０の線状部１１，１１が前後方向に摺動自在に遊嵌されるレール部２１ｂａ，２１ｂａと、取付足部３０の連結片部３３が前後方向に摺動自在に遊嵌されるレール部２１ｃａが起立して設けられている。線状部１１，１１には連続凹凸形状の係合部１６が形成されており、固定部２０の上板部２２には、下板部２１のレール部２１ｂａ，２１ｂａに遊嵌される樋支持具本体１０の係合部１６の凹部に係合する係合部２６の突部が下方に突出して形成されている。軒樋５の軒先４等からの出具合を調整した後、上板部２２を上から固定することによって、係合部１６，２６が係合し、樋支持具本体１０の摺動を規制する。
【００３２】
軒樋５を軒先４等に取り付けるには、複数の軒樋支持具１が必要となる。上述した図４（ａ）〜（ｃ）、図５（ａ），（ｂ）の実施形態では、樋支持具本体１０の線状部１１，１１と、固定部２０に係合部１６，２６が形成されていることにより、樋支持具本体１０と取付足部３０との前後位置関係を段階的に調整することができる。そのため、複数の軒樋支持具１の樋支持具本体１０の出具合を同じにすることが容易になる。そのため、軒樋５を取り付ける施工において、作業員が軒樋５の軒先４等からの出具合調整を容易に行うことが可能となる。
【００３３】
図６（ａ）の実施形態について説明する。
図６（ａ）の実施形態の樋支持具本体１０は、前耳保持部１２は、樋支持具本体１０の前部を下方が開放された逆Ｕ字状に折曲形成されることで耳部５ａを収容する耳部収容空間１４を有しており、さらに耳部収容空間１４の下方において、前後方向内方を向くよう折曲形成されたバネ性を有する保持片部１５を有している。また、後耳保持部１３は、樋支持具本体１０の後部を下方が開放された逆Ｕ字状に折曲形成されることで耳部５ｂを収容する耳部収容空間１４を有しており、さらに耳部収容空間１４の下方において、前後方向内方を向くよう折曲形成されたバネ性を有する保持片部１５を有している。つまり、図６（ａ）の樋支持具本体１０は、前耳保持部１２と後耳保持部１３の両方に、耳部収容空間１４，１４と保持片部１５，１５と有している。
【００３４】
本実施形態における取付足部３０は、屋根９等に固定された吊りボルト３６である。吊りボルト３６の下部には、吊りボルト３６が挿通する挿通孔２１ｄ，２２ｂが設けられた固定部２０の下板部２１と上板部２２と、前後方向の位置調整をした樋支持具本体１０とがナット３５，３５によって上下に挟持固定されている。また、ナット３５，３５を吊りボルト３６に対して位置調整することによって、軒樋５の高さ位置を調整することができる。なお、本実施形態では、樋支持具本体１０と固定部２０とに係合部が形成されていないが、形成されてもよい。係合部が形成されていれば、軒樋５の屋根９等からの前後方向の出具合を段階的に調整し、樋支持具本体１０の摺動を規制することができる。
【００３５】
軒樋５は、下方から軒樋５を持ち上げるようにして、耳部５ａ，５ｂが樋支持具本体１０の前耳保持部１２、後耳保持部１３に同時に係止される。
【００３６】
図６（ａ）の変形例である図６（ｂ）の実施形態について説明する。
図６（ｂ）の実施形態において、樋支持具本体１０は、線状部１１，１１間の空間Ｓが、吊りボルト３６が挿通し、かつ、ナット３５より小となっている（図６（ｃ）参照）。他の実施形態とは異なり、固定部に上板部と下板部を用いずにナット３５，３５が固定部２０となっている。図６（ｂ）に示すように、樋支持具本体１０の線状部１１，１１間に吊りボルト３６が挿通され、線状部１１の上部と下部にナット３５，３５が配されており、ナット３５，３５によって樋支持具本体１０が挟持固定されている。
【００３７】
また、上述した各実施形態において、線状部１１の表面に梨地加工を施し、複数の微小凹凸が設けられた梨地状とすれば、線状部１１は、滑り止めの効果を有するので、固定部２０で固定された後の樋支持具本体１０の摺動を抑制することができる。
【符号の説明】
【００３８】
１                    軒樋支持具
１０                  樋支持具本体
１１                  線状部
１２                  前耳保持部
１３                  後耳保持部
１４                  耳部収容空間
１５                  保持片部
１６                  係合部
２０                  固定部
２６，２６ａ，２６ｂ  係合部
３０                  取付足部
５                    軒樋
５ａ，５ｂ            耳部
【図１】
2019210774.tif 000003
【図２】
2019210774.tif 000004
【図３】
2019210774.tif 000005
【図４】
2019210774.tif 000006
【図５】
2019210774.tif 000007
【図６】
2019210774.tif 000008